(57)【要約】【課題】肌触りが良好で、身体の動きに追従してフィット可能なパンツ型吸収性物品を提供する。【解決手段】互いに交差する上下方向と左右方向と前後方向とを有し、吸収性本体（１０）と、前記左右方向に伸縮する伸縮性シート（２４）を備え、前記吸収性本体（１０）に接合された第１胴回り部（２０）と、を有するパンツ型吸収性物品（１）であって、前記上下方向において、前記伸縮性シート（２４）の下端（２４ｂ）は、前記吸収性本体（１０）の上端（１０ａ）から上側に所定の距離（ｌｇ）だけ離れた位置にある。【選択図】図４
2019205920.tif 000002
【特許請求の範囲】
【請求項１】
互いに交差する上下方向と左右方向と前後方向とを有し、
吸収性本体と、
前記左右方向に伸縮する伸縮性シートを備え、前記吸収性本体に接合された第１胴回り部と、
を有するパンツ型吸収性物品であって、 
前記上下方向において、前記伸縮性シートの下端は、前記吸収性本体の上端から上側に所定の距離だけ離れた位置にある、
ことを特徴とするパンツ型吸収性物品。 
【請求項２】
請求項１に記載のパンツ型吸収性物品であって、
前記第１胴回り部は、前記左右方向に伸縮する複数の弾性部材を有し、
前記第１胴回り部の、前記上下方向において、前記伸縮性シートの下端と、複数の前記弾性部材のうち最も上側に配置されている前記弾性部材との間の領域における前記左右方向の平均応力は、
前記第１胴回り部の、前記上下方向において、前記伸縮性シートが配置されている領域における前記左右方向の平均応力よりも小さい、ことを特徴とするパンツ型吸収性物品。 
【請求項３】
請求項２に記載のパンツ型吸収性物品であって、
前記第１胴回り部のうち、前記上下方向において前記吸収性本体と重複している領域の少なくとも一部に、前記弾性部材が配置されている、ことを特徴とするパンツ型吸収性物品。 
【請求項４】
請求項３に記載のパンツ型吸収性物品であって、
前記第１胴回り部のうち、前記上下方向において前記伸縮性シートと前記吸収性本体とが重複していない領域には、前記弾性部材が配置されていない、ことを特徴とするパンツ型吸収性物品。 
【請求項５】
請求項２〜４のいずれか１項に記載のパンツ型吸収性物品であって、
前記第１胴回り部は、複数の前記弾性部材を有し、
前記第１胴回り部の、前記上下方向において、前記伸縮性シートが配置されている領域における前記左右方向の平均応力は、
前記第１胴回り部の、前記上下方向において、複数の前記弾性部材が配置されている領域における前記左右方向の平均応力よりも小さい、ことを特徴とするパンツ型吸収性物品。 
【請求項６】
請求項２〜５のいずれか１項に記載のパンツ型吸収性物品であって、
前記第１胴回り部は、複数の前記弾性部材を有し、
前記第１胴回り部の、前記上下方向において、複数の前記弾性部材が配置されている領域のうち、
前記上下方向の中央よりも上側の領域における前記左右方向の平均応力は、
前記上下方向の中央よりも下側の領域における前記左右方向の平均応力よりも小さい、ことを特徴とするパンツ型吸収性物品。 
【請求項７】
請求項６に記載のパンツ型吸収性物品であって、
前記吸収性本体は、排泄液を吸収する吸収体を有し、
前記第１胴回り部の、前記上下方向において、最も上側に配置されている前記弾性部材と、前記吸収体の上端との間の領域における前記左右方向の平均応力は、
前記第１胴回り部の、前記上下方向において、前記吸収体の上端と、複数の前記弾性部材が配置されている領域の前記上下方向の中央との間の領域における前記左右方向の平均応力よりも小さい、ことを特徴とするパンツ型吸収性物品。 
【請求項８】
請求項２〜７のいずれか１項に記載のパンツ型吸収性物品であって、
前記第１胴回り部は、複数の前記弾性部材を有し、
前記上下方向において、前記伸縮性シートが配置されている領域の長さは、
前記上下方向において、前記伸縮性シートの下端と、最も上側に配置されている前記弾性部材との間の長さよりも長い、ことを特徴とするパンツ型吸収性物品。
【請求項９】
請求項２〜８のいずれか１項に記載のパンツ型吸収性物品であって、
前記吸収性本体は、排泄液を吸収する吸収体を有し、
前記第１胴回り部は、複数の前記弾性部材を有し、
前記上下方向において、前記吸収性本体の上端と、前記吸収体の上端との間の長さは、
前記上下方向において、前記伸縮性シートの下端と、最も上側に配置されている前記弾性部材との間の長さよりも長い、ことを特徴とするパンツ型吸収性物品。
【請求項１０】
請求項１〜９のいずれか１項に記載のパンツ型吸収性物品であって、
前記第１胴回り部を構成する非伸縮性シートに前記伸縮性シートを固定する固定部を有し、
前記伸縮性シートは、前記上下方向の下端部において、前記固定部の下端を起点に上方向に折り返された折り返し部を有している、ことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、前身頃外装体と後身頃外装体の間に吸収性本体が架橋され、前身頃外装体と後身頃外装体の幅方向両側縁が互いに接合され、腰周り開口部が形成されたパンツ型使い捨ておむつが開示されている。前身頃外装体、及び、後身頃外装体では、腰周り伸縮材が、インナーシートとアウターシート（非伸縮性シート）の間に伸長状態で固定されている。
【先行技術文献】
【特許文献】
【０００３】
【特許文献１】特開２０１３−１３８７９５号
【発明の概要】
【発明が解決しようとする課題】
【０００４】
特許文献１のように伸縮材が設けられたパンツ型使い捨ておむつでは、腰回りに配置されている伸縮材の伸縮性によって、前身頃（後見頃）外装体が着用者の腰回りに沿ってフィットするとともに、吸収性本体の上端部が着用者の下腹部付近にフィットする。
【０００５】
しかしながら、腰周り伸縮材として複数の糸状伸縮材が用いられている場合、各々の糸状伸縮材の伸縮力によって締め付けられることにより、着用者の肌に線状の跡が付きやすくなる。特に、肌の弱い乳幼児等が着用者である場合、腹部等における肌触りが悪化して不快感が大きくなるおそれがある。
【０００６】
また、特許文献１のおむつでは、腰周り伸縮材によって前身頃（後見頃）外装体と吸収性本体の上端部とを同時にフィットさせているため、着用者が身体を動かした場合に位置ずれを生じやすくなるおそれがある。例えば、着用者が脚を前後に動かすと、着用者の腹側において、脚の動きに応じて吸収性本体が上下（前後）に動くことにより、前身頃外装体も吸収性本体の動きに連動して動いてしまうことがある。この場合、前身頃外装体の位置がずれて、フィット性が悪化したり、ウエスト部に生じる隙間から排泄物が漏出したりするおそれがある。
【０００７】
本発明は、上記のような従来の問題に鑑みてなされたものであって、その目的は、肌触りが良好で、身体の動きに追従してフィット可能なパンツ型吸収性物品を提供することにある。
【課題を解決するための手段】
【０００８】
上記目的を達成するための主たる発明は、互いに交差する上下方向と左右方向と前後方向とを有し、吸収性本体と、前記左右方向に伸縮する伸縮性シートを備え、前記吸収性本体に接合された第１胴回り部と、を有するパンツ型吸収性物品であって、前記上下方向において、前記伸縮性シートの下端は、前記吸収性本体の上端から上側に所定の距離だけ離れた位置にある、ことを特徴とするパンツ型吸収性物品である。
本発明の他の特徴については、本明細書及び添付図面の記載により明らかにする。
【発明の効果】
【０００９】
本発明によれば、肌触りが良好で、身体の動きに追従してフィット可能なパンツ型吸収性物品を提供することができる。
【図面の簡単な説明】
【００１０】
【図１】パンツ型使い捨ておむつ１（以下「おむつ」）の斜視図である。
【図２】展開かつ伸長状態のおむつ１の平面図である。
【図３】図２のＩＩ線での断面図である。
【図４】図３の腹側胴回り部２０（第１胴回り部）及び吸収性本体１０について拡大して表した図である。
【図５】図５Ａ及び図５Ｂは、着用者の腹側におけるおむつ１のフィット性について具体的に説明する概略断面図である。
【図６】腹側胴回り部２０の伸縮性シート２４の固定方法の変形例について説明する概略断面図である。
【発明を実施するための形態】
【００１１】
本明細書及び添付図面の記載により、少なくとも以下の事項が明らかとなる。
互いに交差する上下方向と左右方向と前後方向とを有し、吸収性本体と、前記左右方向に伸縮する伸縮性シートを備え、前記吸収性本体に接合された第１胴回り部と、を有するパンツ型吸収性物品であって、前記上下方向において、前記伸縮性シートの下端は、前記吸収性本体の上端から上側に所定の距離だけ離れた位置にある、ことを特徴とするパンツ型吸収性物品。
【００１２】
このようなパンツ型吸収性物品によれば、第１胴回り部のうち伸縮性シートが配置されている領域が着用者の肌に面でフィットすることにより、良好な肌触りを実現できる。また、上下方向において伸縮性シートと吸収性本体とが重複していないため、両者が連動することなく、それぞれ独立して着用者の身体の動きに追従することが可能となり、良好なフィット性を実現することができる。
【００１３】
かかるパンツ型吸収性物品であって、前記第１胴回り部は、前記左右方向に伸縮する複数の弾性部材を有し、前記第１胴回り部の、前記上下方向において、前記伸縮性シートの下端と、複数の前記弾性部材のうち最も上側に配置されている前記弾性部材との間の領域における前記左右方向の平均応力は、前記第１胴回り部の、前記上下方向において、前記伸縮性シートが配置されている領域における前記左右方向の平均応力よりも小さい、ことが望ましい。
【００１４】
このようなパンツ型吸収性物品によれば、着用時において、伸縮性シートの下端と弾性部材との間の領域では第１胴回り部が自在に変形しやすくなる。一方、伸縮性シートが配置されている領域では第１胴回り部が着用者の胴回りにフィットしやすくなる。
【００１５】
かかるパンツ型吸収性物品であって、前記第１胴回り部のうち、前記上下方向において前記吸収性本体と重複している領域の少なくとも一部に、前記弾性部材が配置されている、ことが望ましい。
【００１６】
このようなパンツ型吸収性物品によれば、吸収性本体に対して弾性部材の収縮力が作用することにより、吸収性本体を着用者の身体にフィットさせ、位置ずれを生じ難くすることができる。
【００１７】
かかるパンツ型吸収性物品であって、前記第１胴回り部のうち、前記上下方向において前記伸縮性シートと前記吸収性本体とが重複していない領域には、前記弾性部材が配置されていない、ことが望ましい。
【００１８】
このようなパンツ型吸収性物品によれば、伸縮性シートと吸収性本体との上下方向の間の領域（緩衝領域）では弾性部材（糸状弾性部材）による伸縮性が作用し難くなるため、当該領域において第１胴回り部が柔軟に変形しやすくなる。これにより、伸縮性シートが配置されている領域と、吸収性本体とがそれぞれ独立して身体の動きに追従しやすくなり、パンツ型吸収性物品のフィット性をより向上させることができる。
【００１９】
かかるパンツ型吸収性物品であって、前記第１胴回り部は、複数の前記弾性部材を有し、前記第１胴回り部の、前記上下方向において、前記伸縮性シートが配置されている領域における前記左右方向の平均応力は、前記第１胴回り部の、前記上下方向において、複数の前記弾性部材が配置されている領域における前記左右方向の平均応力よりも小さい、ことが望ましい。
【００２０】
このようなパンツ型吸収性物品によれば、着用時において、着用者の胴回りに対する第１胴回り部の締め付けが強くなりすぎず、着用者に不快感を与え難い。一方、吸収性本体には比較的大きな締め付け力が作用するため、吸収性本体が引っ張られたり大きな外力が作用したりする場合であっても、吸収性本体の位置ずれが生じ難い。
【００２１】
かかるパンツ型吸収性物品であって、前記第１胴回り部は、複数の前記弾性部材を有し、前記第１胴回り部の、前記上下方向において、複数の前記弾性部材が配置されている領域のうち、前記上下方向の中央よりも上側の領域における前記左右方向の平均応力は、前記上下方向の中央よりも下側の領域における前記左右方向の平均応力よりも小さい、ことが望ましい。
【００２２】
このようなパンツ型吸収性物品によれば、吸収性本体の下側から上側（上端部）にかけて、応力が段階的に小さくなる。すなわち、伸縮性シートの下端と弾性部材との間の領域（緩衝領域）に近いほど応力が小さくなるため、当該領域よりも上側の領域で作用する力と下側の領域で作用する力とを、より効率的に緩衝することができるようになる。
【００２３】
かかるパンツ型吸収性物品であって、前記吸収性本体は、排泄液を吸収する吸収体を有し、前記第１胴回り部の、前記上下方向において、最も上側に配置されている前記弾性部材と、前記吸収体の上端との間の領域における前記左右方向の平均応力は、前記第１胴回り部の、前記上下方向において、前記吸収体の上端と、複数の前記弾性部材が配置されている領域の前記上下方向の中央との間の領域における前記左右方向の平均応力よりも小さい、ことが望ましい。
【００２４】
このようなパンツ型吸収性物品によれば、吸収性本体の上端部に近いほど、応力を小さくすることができる。さらに、吸収体と重複している領域では、吸収体を着用者の身体にフィットさせやすくなる。一方、吸収体と重複していない領域では、締め付けが強くなりすぎず肌触りをソフトにすることができる。
【００２５】
かかるパンツ型吸収性物品であって、前記第１胴回り部は、複数の前記弾性部材を有し、前記上下方向において、前記伸縮性シートが配置されている領域の長さは、前記上下方向において、前記伸縮性シートの下端と、最も上側に配置されている前記弾性部材との間の長さよりも長い、ことが望ましい。
【００２６】
このようなパンツ型吸収性物品によれば、伸縮性シートが配置されている領域において第１胴回り部のうち着用者の肌に面でフィットする部分の割合が大きくなり、第１胴回り部の位置ずれを抑制しやすくなる。
【００２７】
かかるパンツ型吸収性物品であって、前記吸収性本体は、排泄液を吸収する吸収体を有し、前記第１胴回り部は、複数の前記弾性部材を有し、前記上下方向において、前記吸収性本体の上端と、前記吸収体の上端との間の長さは、前記上下方向において、前記伸縮性シートの下端と、最も上側に配置されている前記弾性部材との間の長さよりも長い、ことが望ましい。
【００２８】
このようなパンツ型吸収性物品によれば、吸収性本体の上端部が着用者の腹部によりフィットしやすくなり、吸収性本体の位置ずれを抑制しやすくなる。
【００２９】
かかるパンツ型吸収性物品であって、前記第１胴回り部を構成する非伸縮性シートに前記伸縮性シートを固定する固定部を有し、前記伸縮性シートは、前記上下方向の下端部において、前記固定部の下端を起点に上方向に折り返された折り返し部を有している、ことが望ましい。
【００３０】
このようなパンツ型吸収性物品によれば、折り返し部において伸縮性シートが積層されて伸縮力が強くなるため、腹側胴回り部の位置ずれが生じ難くなる。また、固定部の下端位置を変更することで、伸縮性シートの下端部の位置を変更することができるため、伸縮性シートと吸収性本体とが重複していない領域（緩衝領域）の大きさを自在に調整可能となり、着用対象者の体型等に応じて最適なフィット性を有する吸収性物品を実現しやすくなる。
【００３１】
＝＝＝実施形態＝＝＝
以下、本発明に係るパンツ型吸収性物品として、乳幼児用の使い捨ておむつを例に挙げて実施形態を説明する。但し、本発明に係るパンツ型吸収性物品は、乳幼児用の使い捨ておむつに限らず、大人用の使い捨ておむつや、生理用ショーツ等としても利用可能である。
【００３２】
＝＝＝パンツ型使い捨ておむつ１の構成＝＝＝
図１は、パンツ型使い捨ておむつ１（以下「おむつ」）の斜視図である。図２は、展開かつ伸長状態のおむつ１の平面図である。図３は、図２のＩＩ線での断面図である。
【００３３】
おむつ１は、図１に示すパンツ型状態において、上下方向、及び、左右方向を有し、胴回り開口部ＢＨ、及び、一対の脚回り開口部ＬＨが形成されている。上下方向において、胴回り開口部ＢＨ側を上側とし、股下側を下側とする。また、図３に示すように、おむつ１を構成する資材が積層された方向を厚さ方向といい、厚さ方向において着用者に接触する側を肌側といい、着用者に接触しない側を非肌側という。
【００３４】
また、おむつ１は、平面視長方形状の３部材である、吸収性本体１０、腹側胴回り部２０、及び、背側胴回り部３０を有する。腹側胴回り部２０（第１胴回り部）は着用者の腹側部に当てられ、背側胴回り部３０（第２胴回り部）は着用者の背側部に当てられる。
【００３５】
図２に示す展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向一方側の端部が配置され、左右方向における背側胴回り部３０の中央部に、吸収性本体１０の長手方向他方側の端部が配置されている。
【００３６】
図２に示す展開状態のおむつ１において、吸収性本体１０の長手方向がおむつ１の上下方向に沿うように、吸収性本体１０が長手方向の略中央で二つ折りされ、おむつ１の左右方向における腹側胴回り部２０の両側端部と背側胴回り部３０の両側端部とが、熱溶着や超音波溶着等で接合されて、一対の接合領域２が形成されることにより、図１に示すパンツ型状態のおむつ１となる。
【００３７】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００３８】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。
【００３９】
また、図２に示すように、左右方向における吸収性本体１０の両側部には、脚回り弾性部材１５が設けられており、おむつ１は着用者の脚回りにフィットする。脚回り弾性部材１５は、例えば、左右方向の内側に折り返されて２層となった外装シート１４の間において、吸収性本体１０の長手方向に伸長状態で固定されている。脚回り弾性部材１５としては、糸状弾性部材や伸縮性シートを例示できる。
【００４０】
腹側胴回り部２０及び背側胴回り部３０は、図３に示すように、それぞれ、内層シート２１，３１と、内層シート２１，３１に積層された外層シート２２，３２と、複数の糸状弾性部材２３，３３とを有する。
【００４１】
外層シート２２，３２は内層シート２１，３１よりも非肌側に配置されている。内層シート２１，３１及び外層シート２２，３２は吸収性本体１０よりも非肌側に配置されている。但し、外層シート２２，３２の上方の端部２２１，３２１は下方向に折り返されて吸収性本体１０の長手方向の端部を肌側から覆っている。
【００４２】
内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００４３】
複数の糸状弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は左右方向に伸縮し、着用者の胴回りにフィットする。糸状弾性部材２３，３３としては、ゴムやスパンデックス等の糸状弾性部材を例示できる。
【００４４】
背側胴回り部３０では、上端部から下端部に亘って糸状弾性部材３３が配置されている。一方、腹側胴回り部２０の上端部には、糸状弾性部材２３が配置されておらず、代わりに、左右方向に伸縮する伸縮性シート２４が配置されている。
【００４５】
このように腹側胴回り部２０の上端部に糸状弾性部材２３を配置せずに伸縮性シート２４を配置することで、腹側胴回り部２０の上端部が面で着用者に密着する。そのため、局所的な締め付けが抑えられ、伸縮部材の跡を残り難くすることができる。特に乳幼児の腹部はぽっこり出ているため、腹側胴回り部２０の締め付けを抑えることが好ましい。
【００４６】
また、おむつ１着用時の胴回り開口部ＢＨの広げやすさについては、胴回り部２０，３０の上端部の伸縮力が大きく影響する。伸縮性シート２４は、自然状態から伸長しやすく、伸長状態から収縮し難い性質を有する。そのため、腹側胴回り部２０の上端部に伸縮性シート２４を配置することで、おむつ１着用時に胴回り開口部ＢＨを広げやすくなり、また、胴回り部２０，３０を着用者にフィットさせた後の腹部の締め付けを防止できる。
【００４７】
伸縮性シート２４には、例えば、質量が１０〜４０ｇ／ｍ２、より好ましくは、質量が１５〜３０ｇ／ｍ２の弾性繊維から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させやすく、伸縮性の繊維不織布として好適である。熱可塑性エラストマーとしては、スチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シートは少なくとも左右方向に弾性を示すものであればよく、二方向以上に弾性を示すものであってもよい。伸縮性シート２４の左右方向の伸長倍率は１．２倍〜３.０倍程度が好ましい。
【００４８】
＝＝＝おむつ１の腹側におけるフィット性について＝＝＝
続いて、おむつ１着用時の着用者の腹側におけるフィット性について説明する。図４は、図３の腹側胴回り部２０（第１胴回り部）及び吸収性本体１０について拡大して表した図である。
【００４９】
前述のように、腹側胴回り部２０は、内層シート２１と、外層シート２２と、伸縮性シート２４とを有する。製造途中の状態において、厚さ方向の非肌側から順に、外層シート２２、内層シート２１、伸縮性シート２４が積層されている。そして、伸縮性シート２４は、左右方向に沿って延びる下端２４ｂを有している。
【００５０】
本実施形態のおむつ１では、伸縮性シート２４の下端２４ｂが、吸収性本体１０の上端１０ａから上側にｌｇだけ離れた位置に配置されている。言い換えると、伸縮性シート２４の下端２４ｂと、吸収性本体１０の上端１０ａとの間には、上下方向において間隔ｌｇが設けられている。この上下方向における間隔ｌｇの領域を「緩衝領域ＢＲ」と呼ぶ。図４に示されるように、緩衝領域ＢＲは、厚さ方向に積層されているシート部材の枚数が少なく、腹側胴回り部２０において最も剛性が低くなっている領域である。
【００５１】
また、腹側胴回り部２０のうち、上下方向において伸縮性シート２４が配置されている領域を「上側領域ＵＲ」とする。上側領域ＵＲでは、おむつ１の着用時に伸縮性シート２４が左右方向に収縮することにより、腹側胴回り部２０を着用者のウエストに沿ってフィットさせることができる。
【００５２】
また、腹側胴回り部２０のうち、複数の糸状弾性部材２３，２３が配置されている領域の少なくとも一部は、上下方向において吸収性本体１０の上端部と重複している。そして、上下方向において、最も上側に配置されている糸状弾性部材２３ａと、最も下側に配置されている糸状弾性部材糸状弾性部材２３ｘとの間の領域を「下側領域ＤＲ」とする。下側領域ＤＲでは、おむつ１の着用時に糸状弾性部材２３が左右方向に収縮することにより、吸収性本体１０及び腹側胴回り部２０を着用者の身体にフィットさせることができる。特に、吸収性本体１０は、その上端部が糸状弾性部材２３の伸縮性によって着用者の肌側に押し付けられることにより、おむつ１着用時における位置ずれが生じ難くなる。
【００５３】
また、上下方向において、上側領域ＵＲと下側領域ＤＲとの間にある領域を「中間領域ＣＲ」とする。すなわち、中間領域ＣＲは、伸縮性シート２４及び糸状弾性部材２３のいずれもが配置されておらず、それらの弾性部材による左右方向の伸縮性が発現していない領域である。なお、図４では、緩衝領域ＢＲが中間領域ＣＲに含まれている。
【００５４】
図５Ａ及び図５Ｂは、着用者の腹側におけるおむつ１のフィット性について具体的に説明する概略断面図である。図５Ａは、着用者が背筋をまっすぐにした通常の姿勢をとっている場合における左右方向の断面について表している。図５Ｂは、着用者が腰をかがめて座る等、前傾姿勢をとっている場合における左右方向の断面について表している。
【００５５】
図５Ａの通常姿勢では、上側領域ＵＲにおいて伸縮性シート２４が発現している収縮力により、腹側胴回り部２０の上端部が、着用者の腹部の出っ張り部分に面でフィットしている。腹側胴回り部２０の上端部がフィットすることにより、当該上端部がベルトのように作用することで、腹側胴回り部２０が着用者の腹部からずれてしまうことが抑制される。また、上側領域ＵＲが面でフィットすることにより、着用者の肌への締め付け圧力が局所的に集中することなく、伸縮性シート２４の全体に圧力が分散する。したがって、着用者に不快感を与え難くなり、また、弾性部材による締め付け跡が腹部に付いてしまうことを抑制できる。
【００５６】
一方、下側領域ＤＲにおいて糸状弾性部材２３が発現している収縮力により、吸収性本体１０の上端部が着用者の腹部の出っ張りよりも下側の領域にフィットしている。この領域は、腹部の出っ張りの頂点から股間部にかけて斜め下側に傾斜していることから、複数の糸状弾性部材２３の各々について収縮力を発現させ、締め付けを強くすることにより、吸収性本体１０がずれ下がってしまったり、吸収性本体１０の上端部において着用者の肌との間に隙間を生じたりすることを抑制している。なお、図４に示されるように、下側領域ＤＲにおいて糸状弾性部材２３よりも肌側には多くの部材（例えば、内層シート２１や吸収体１１等）が積層されているため、この領域で締め付け力を強くしたとしても、着用者の肌には糸状弾性部材２３による締め付け跡は付き難い。
【００５７】
そして、上側領域ＵＲと下側領域ＤＲとの間の緩衝領域ＢＲ（中間領域ＣＲ）において、腹側胴回り部２０が着用者の腹部にフィットしている。但し、緩衝領域ＢＲには、伸縮性シート２４等の弾性部材が配置されていないため、該緩衝領域ＢＲには左右方向の伸縮性が作用し難い。したがって、緩衝領域ＢＲにおいて腹側胴回り部２０は必ずしも着用者の肌に密着していなくても良い。
【００５８】
図５Ａの状態から着用者が前傾姿勢をとると、着用者の腹部が上下方向に縮むように変化する。この時、上側領域ＵＲでは伸縮性シート２４による伸縮力が作用し続けているため、当該領域における腹側胴回り部２０のフィット性は維持される。同様に、下側領域ＤＲでは糸状弾性部材２３による伸縮力が作用し続けているため、当該領域における吸収性本体１０の上端部のフィット性は維持される。したがって、着用者の腹部において、上側領域ＵＲの位置と下側領域ＤＲの位置との上下方向の距離が互いに近くなる。
【００５９】
一方、緩衝領域ＢＲでは、積層されたシート部材の数が少なく剛性が低くなっているため、上側領域ＵＲ及び下側領域ＤＲによって、上下に圧縮されることにより、図５Ｂのように緩衝領域ＢＲにおいて腹側胴回り部２０が着用者の肌（腹部）から離れて、非肌側に突出するように変形する。このように、緩衝領域ＢＲが変形することにより、上側領域ＵＲと下側領域ＤＲとが衝突してフィット性が損なわれてしまうことを抑制している。すなわち、着用者の身体の動きに応じて上側領域ＵＲと下側領域ＤＲとの相対位置が変化した場合であっても、それぞれの領域ＵＲ，ＤＲにおけるフィット性を維持し続けることができる。
【００６０】
図５Ｂの場合とは逆に、着用者が背伸びをする等、背側に反った姿勢をとった場合には、着用者の腹部が上下方向に伸長するように変化することにより、上側領域ＵＲが上側に移動し、下側領域ＤＲが下側に移動する。この場合も緩衝領域ＢＲが上下に伸びるように変形することで、上側領域ＵＲと下側領域ＤＲとが共にフィット性を維持することができる
【００６１】
また、吸収性本体１０が尿等の排泄物を吸収して重量が重くなることによって下側に垂れ下がったり、着用者の脚の動きによって下側に引っ張られたりするような場合にも、緩衝領域ＢＲが存在することにより、吸収性本体１０を下側に引っ張る力が上側領域ＵＲまで作用し難くなる。したがって、腹側胴回り部２０の位置ずれが生じ難くなり、着用者に違和感や不快感を与え難くすることができる。
【００６２】
仮に、伸縮性シート２４の下端２４ｂが吸収性本体１０の前側の上端部と重複している場合、すなわち、上側領域ＵＲと下側領域ＤＲとが上下方向において重複し、緩衝領域ＢＲが形成されていない場合、吸収性本体１０が引っ張られる等によって下側領域ＤＲの位置がずれると、それに連動して上側領域ＵＲの位置もずれてしまい、フィット性が悪化してしまう。これに対して、本実施形態のおむつ１では上下方向において伸縮性シート２４の下端２４ｂと、吸収性本体１０の上端１０ａとの間に緩衝領域ＢＲが設けられていることにより、上側領域ＵＲと下側領域ＤＲとがそれぞれ独立して着用者の身体の動きに追従可能となっている。これにより、腹側胴回り部２０及び吸収性本体１０のフィット性を維持することができる。
【００６３】
また、本実施形態では、吸収性本体１０の上端１０ａよりも下側に糸状弾性部材２３（弾性部材）が設けられている。言い換えると、上下方向において伸縮性シート２４の下端２４ｂと、吸収性本体１０の上端１０ａとの間の緩衝領域ＢＲには、糸状弾性部材２３が配置されていない。つまり、糸状弾性部材２３は、上下方向において緩衝領域ＢＲと重複しておらず、当該緩衝領域ＢＲには糸状弾性部材２３による伸縮性が作用し難い。これにより、腹側胴回り部２０は、緩衝領域ＢＲにおいて柔軟に変形しやすくなるため、上側領域ＵＲや下側領域ＤＲの位置ずれがより生じ難くなり、おむつ１着用時のフィット性をより向上させることができる。但し、上下方向において緩衝領域ＢＲと糸状弾性部材２３とが重複して配置されていたとしても、伸縮性シート２４と吸収性本体１０の上端１０ａとが上下方向において離れて配置されていれば、緩衝領域ＢＲによる「緩衝」の機能は実現可能である。
【００６４】
また、本実施形態のおむつ１では、腹側胴回り部２０の緩衝領域ＢＲにおける左右方向の平均応力σＢＲが、腹側胴回り部２０の上側領域ＵＲにおける左右方向の平均応力σＵＲよりも小さい（σＢＲ＜σＵＲ）。したがって、おむつ１の着用時において、上側領域ＵＲでは腹側胴回り部２０が着用者の胴回りにフィットしやすく、緩衝領域ＢＲでは腹側胴回り部２０が自在に変形しやすい。したがって、緩衝領域ＢＲの変形によって下側領域ＤＲと上側領域ＵＲとがより連動し難くなり、着用者の胴回りにおいて、腹側胴回り部２０の位置ずれ等が生じ難くなる。
【００６５】
なお、緩衝領域ＢＲ，及び上側領域ＵＲにおける「応力」は、例えば、以下のような応力試験を行うことによって測定することができる。まず、パンツ型のおむつ１の両側部に形成されている接合領域２を切り離し、腹側胴回り部２０と背側胴回り部３０とに分離する。そして、分離した腹側胴回り部２０から緩衝領域ＢＲと上側領域ＵＲとをそれぞれ測定対象の試験片として切り出す。各試験片について、左右方向において１４０ｍｍの長さの区間を測定区間として引っ張り試験器（インストロン社）のチャックで挟み込む。そして、１００ｍｍ／ｍｉｎの速度で２７０ｍｍ程度の長さに伸長するまで左右方向の両側に引っ張り、その後、１００ｍｍ／ｍｉｎの速度でチャック間距離が１４０ｍｍに戻るまで収縮させる。このサイクルを２回繰り返し、２サイクル目において、所定の長さまで伸長させたときの引っ張り荷重を測定して応力を算出する。
【００６６】
また、上側領域ＵＲにおいて腹側胴回り部２０に作用している左右方向の平均応力σＵＲは、下側領域ＤＲにおいて吸収性本体１０に作用している左右方向の平均応力σＦＤＲよりも小さい（σＵＲ＜σＤＲ）。したがって、おむつ１の着用時において、着用者の腹側胴回りに対する腹側胴回り部２０の締め付けが強くなりすぎず、着用者に不快感を与え難い。一方、吸収性本体１０の上端部には比較的大きな力が作用するため、着用者が脚を動かす等によって吸収性本体１０が下側に強く引っ張られる等の場合であっても、吸収性本体１０の位置ずれが生じ難い。
【００６７】
また、腹側胴回り部２０において、糸状弾性部材２３が上下方向の位置に応じて異なる伸長倍率で配置される等により、下側領域ＤＲにおける応力が、上下方向の位置によって異なるようにしても良い。具体的には、吸収性本体１０に作用する力が、緩衝領域ＢＲに近い領域ほど小さくなっていることが望ましい。緩衝領域ＢＲと隣接する吸収性本体１０の上端部における応力が大きいと、緩衝領域ＢＲにおいて力を緩衝しきれず、吸収性本体１０の動きに連動して腹側胴回り部２０の位置ずれが生じてしまう等のおそれがあるからである。
【００６８】
したがって、例えば、下側領域ＤＲのうち上下方向の中央よりも上側の領域ＤＲ１における左右方向の平均応力σＤＲ１が、下側領域ＤＲのうち上下方向の中央よりも下側の領域ＤＲ２における左右方向の平均応力σＤＲ２よりも小さくなるようにすると良い（σＤＲ１＜σＤＲ２）。このような構成であれば、吸収性本体１０の下側から上側（上端部）にかけて、応力が段階的に小さくなるため、緩衝領域ＢＲの付近での応力が小さくなり、上側領域ＵＲで作用する力と下側領域ＤＲで作用する力とを、より効率的に緩衝することができるようになる。
【００６９】
さらに、上述した領域ＤＲ１のうち、上下方向において吸収体１１と重複していない領域ＤＲ３における左右方向の平均応力σＤＲ３が、領域ＤＲ１のうち、上下方向において吸収体１１と重複している領域ＤＲ４における左右方向の平均応力σＤＲ４よりも小さいことが望ましい（σＤＲ３＜σＤＲ４）。このような構成であれば、吸収性本体１０の下側から上端部にかけて、応力が段階的に小さくなることに加え、吸収体１１と重複している領域ＤＲ４では応力が強いことにより、吸収体１１を着用者の身体にフィットさせやすくなる。一方、吸収体１１と重複していない領域ＤＲ３は、シート部材の積層枚数が少なく、吸収性本体１０の剛性が低いため、該領域ＤＲ３における応力を小さくすることにより、吸収性本体１０の上端部における締め付けが強くなりすぎず、肌触りをソフトにすることができる。
【００７０】
また、上下方向において、伸縮性シート２４が配置されている領域（すなわち、上側領域ＵＲ）の長さは、伸縮性シート２４の下端２４ｂと、最も上側に配置されている糸状弾性部材２３ａとの間の領域（すなわち、中間領域ＣＲ）の長さよりも長い。上下方向における上側領域ＵＲの長さを、中間領域ＣＲの長さよりも長くすることにより、上側領域ＵＲにおいて腹側胴回り部２０のうち着用者の肌に面でフィットする部分の割合が大きくなり、腹側胴回り部２０の位置ずれを抑制しやすくなる。また、腹側胴回り部２０がフィットしている部分の肌触りをよりソフトにすることができる。
【００７１】
また、上下方向において、吸収性本体１０の上端１０ａと吸収体１１の上端１１ｅａとの間の領域の長さは、伸縮性シート２４の下端２４ｂと、最も上側に配置されている糸状弾性部材２３ａとの間の領域（すなわち、中間領域ＣＲ）の長さよりも長い。吸収性本体１０のうち吸収体１１と重複していない上端部における上下方向の長さを、中間領域ＣＲの長さよりも長くすることにより、吸収性本体１０の上端部が着用者の腹部によりフィットしやすくなり、吸収性本体１０の位置ずれを抑制しやすくなる。
【００７２】
＜変形例＞
図６は、腹側胴回り部２０の伸縮性シート２４の固定方法の変形例について説明する概略断面図である。伸縮性シート２４と、非伸縮性シート（内層シート２１及び外層シート２２）との間には、ホットメルト接着剤等の接着剤が塗布された固定部４１が設けられており、この固定部４１によって、伸縮性シート２４は非伸縮性シート２１，２２に固定されている。
【００７３】
図３及び図４に示される腹側胴回り部２０では、上下方向において伸縮性シート２４が折れ曲がることなく真っ直ぐに配置されていた。すなわち、上側領域ＵＲは、伸縮性シート２４の上端２４ａと下端２４ｂとの間に形成されていた。一方、図６の変形例では、伸縮性シート２４の下端２４ｂが、固定部４１の下端４１ｂよりも下側に延出し、延出した部分が固定部４１の下端４１ｂを基点として上方向に折り返され、折り返し部２４１が形成されている。すなわち、伸縮性シート２４のうち、固定部４１の下端４１ｂよりも下側にはみ出した部分が、該伸縮性シート２４自体の収縮力によって上側に捲れ上がるようにして折り返し部２４１が形成される。
【００７４】
伸縮性シート２４の下端部において折り返し部２４１が形成された領域では、伸縮性シート２４が厚さ方向に積層された状態となるため、当該積層された領域では、伸縮性シート２４による伸縮性が局所的に強くなり、腹側胴回り部２０が着用者の肌に密着しやすくなる。これにより、おむつ１の着用時において、腹側胴回り部２０の位置ずれが生じ難くなる。
【００７５】
また、折り返し部２４１が形成されている場合、上述した緩衝領域ＢＲは、上下方向において、伸縮性シート２４の折り返し起点（すなわち、固定部４１の下端４１ｂ）の位置と吸収性本体１０の上端１０ａとの間の領域となる。したがって、固定部４１が設けられる位置（高さ）を調整することにより、上下方向における緩衝領域ＢＲや上側領域ＵＲの長さ（大きさ）を調整することが可能となる。したがって、着用対象者の月齢や体型に応じて、緩衝領域ＢＲの大きさが適切に設定されたおむつを提供することができる。
【００７６】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【００７７】
例えば、腹側胴回り部２０の上端部に伸縮性シート２４を配置するに限らない。上下方向における腹側胴回り部２０の何れの位置に伸縮性シート２４を配置してもよい。また、背側胴回り部３０（第１胴回り部）が伸縮性シートを有し、腹側胴回り部２０（第２胴回り部）が伸縮性シートを有していなくてもよいし、腹側胴回り部２０と背側胴回り部３０が共に伸縮性シート２４を有していてもよい。
【００７８】
また、上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であってもよい。
【符号の説明】
【００７９】
１  おむつ（パンツ型吸収性物品）、２  接合領域、
１０  吸収性本体、１０ａ  上端、
１１  吸収体、１１ｅａ  上端、
１１Ａ  吸収性コア、１１Ｂ  コアラップシート、
１２  トップシート、１３  バックシート、
１４  外装シート、１５  脚回り弾性部材、
２０  腹側胴回り部（第１胴回り部）、
２１  内層シート（非伸縮性シート）、２２  外層シート（非伸縮性シート）、
２３  糸状弾性部材、２３ａ  糸状弾性部材、２３ｘ  糸状弾性部材、
２４  伸縮性シート、２４ａ  上端、２４ｂ  下端、
２４１  折り返し部、
３０  背側胴回り部（第２胴回り部）、３１  内層シート、
３２  外層シート、３３  糸状弾性部材、
４１  固定部、
ＢＲ  緩衝領域、ＵＲ  上側領域、ＣＲ  中間領域、ＤＲ  下側領域
【図１】
2019205920.tif 000003
【図２】
2019205920.tif 000004
【図３】
2019205920.tif 000005
【図４】
2019205920.tif 000006
【図５】
2019205920.tif 000007
【図６】
2019205920.tif 000008
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
互いに交差する上下方向と左右方向と前後方向とを有し、
吸収性本体と、
前記左右方向に伸縮する伸縮性シート及び弾性部材と、非伸縮性シートとを備え、前記吸収性本体に接合された第１胴回り部と、
を有するパンツ型吸収性物品であって、
前記非伸縮性シートは、内層シート及び外層シートを備え、
前記弾性部材は、前記前後方向において、前記内層シートと前記外層シートの間に配置され、
前記伸縮性シートは、前記内層シートより肌側に配置され、
前記上下方向において、前記伸縮性シートの下端は、前記吸収性本体の上端から上側に所定の距離だけ離れた位置にあり、
前記上下方向において、前記伸縮性シートの下端と前記吸収性本体の上端との間の領域と、前記弾性部材が重複して配置されている、
ことを特徴とするパンツ型吸収性物品。
【請求項２】
請求項１に記載のパンツ型吸収性物品であって、
前記第１胴回り部のうち、前記上下方向において前記吸収性本体と重複している領域の少なくとも一部に、前記弾性部材が配置されている、ことを特徴とするパンツ型吸収性物品。
【請求項３】
請求項１に記載のパンツ型吸収性物品であって、
前記第１胴回り部のうち、前記上下方向において前記伸縮性シートと前記吸収性本体とが重複していない領域には、前記弾性部材が配置されていない、ことを特徴とするパンツ型吸収性物品。
【請求項４】
互いに交差する上下方向と左右方向と前後方向とを有し、
吸収性本体と、
内層シート、前記内層シートより非肌側に配置された外層シート、及び前記左右方向に伸縮する伸縮性シートを備え、前記吸収性本体に接合された第１胴回り部と、
を有するパンツ型吸収性物品であって、
前記吸収性本体は、排泄液を吸収する吸収体を有し、
前記上下方向において、前記伸縮性シートの下端は、前記吸収性本体の上端から上側に所定の距離だけ離れた位置にあり、
前記内層シート及び前記外層シートは、前記吸収性本体より非肌側に配置されており、
前記外層シートの上方の端部は、下方向に折り返されて前記吸収性本体の前記上下方向の端部を肌側から覆っており、
前記吸収性本体は、前記吸収体より非肌側に配置された液不透過性のバックシートを備え、
前記第１胴回り部は、前記上下方向において前記吸収性本体と重複している領域の少なくとも一部に、前記左右方向に伸縮する糸状弾性部材を有し、
前記糸状弾性部材より肌側に前記吸収体が配置されており、
前記糸状弾性部材は、前記内層シートと前記外層シートの間に配置されており、
前記伸縮性シートは、前記内層シートより肌側から積層されている、ことを特徴とするパンツ型吸収性物品。
【請求項５】
請求項４に記載のパンツ型吸収性物品であって、
前記糸状弾性部材は、前記内層シートより非肌側に配置されており、
前記伸縮性シートは、前記内層シートより肌側に配置されている、ことを特徴とするパンツ型吸収性物品。
【請求項６】
請求項４又は５に記載のパンツ型吸収性物品であって、
前記上下方向において、前記糸状弾性部材が、前記吸収性本体と重複する領域で、且つ、前記吸収体と重複しない領域に設けられている、ことを特徴とするパンツ型吸収性物品。
【請求項７】
請求項１〜６のいずれか１項に記載のパンツ型吸収性物品であって、
前記第１胴回り部は、前記左右方向に伸縮する複数の弾性部材又は糸状弾性部材を有し、
前記第１胴回り部の、前記上下方向において、前記伸縮性シートの下端と、複数の前記弾性部材又は前記糸状弾性部材のうち最も上側に配置されている前記弾性部材又は前記糸状弾性部材との間の領域における前記左右方向の平均応力は、
前記第１胴回り部の、前記上下方向において、前記伸縮性シートが配置されている領域における前記左右方向の平均応力よりも小さい、ことを特徴とするパンツ型吸収性物品。
【請求項８】
請求項１〜７のいずれか１項に記載のパンツ型吸収性物品であって、
前記第１胴回り部は、複数の弾性部材又は糸状弾性部材を有し、
前記第１胴回り部の、前記上下方向において、前記伸縮性シートが配置されている領域における前記左右方向の平均応力は、
前記第１胴回り部の、前記上下方向において、複数の複数の前記弾性部材又は前記糸状弾性部材が配置されている領域における前記左右方向の平均応力よりも小さい、ことを特徴とするパンツ型吸収性物品。
【請求項９】
請求項１〜８のいずれか１項に記載のパンツ型吸収性物品であって、
前記第１胴回り部は、複数の弾性部材又は糸状弾性部材を有し、
前記第１胴回り部の、前記上下方向において、複数の前記弾性部材又は前記糸状弾性部材が配置されている領域のうち、
前記上下方向の中央よりも上側の領域における前記左右方向の平均応力は、
前記上下方向の中央よりも下側の領域における前記左右方向の平均応力よりも小さい、ことを特徴とするパンツ型吸収性物品。
【請求項１０】
請求項９に記載のパンツ型吸収性物品であって、
前記吸収性本体は、排泄液を吸収する吸収体を有し、
前記第１胴回り部の、前記上下方向において、最も上側に配置されている前記弾性部材又は前記糸状弾性部材と、前記吸収体の上端との間の領域における前記左右方向の平均応力は、
前記第１胴回り部の、前記上下方向において、前記吸収体の上端と、複数の前記弾性部材又は前記糸状弾性部材が配置されている領域の前記上下方向の中央との間の領域における前記左右方向の平均応力よりも小さい、ことを特徴とするパンツ型吸収性物品。
【請求項１１】
請求項１〜１０のいずれか１項に記載のパンツ型吸収性物品であって、
前記第１胴回り部は、複数の弾性部材又は糸状弾性部材を有し、
前記上下方向において、前記伸縮性シートが配置されている領域の長さは、
前記上下方向において、前記伸縮性シートの下端と、最も上側に配置されている前記弾性部材又は前記糸状弾性部材との間の長さよりも長い、ことを特徴とするパンツ型吸収性物品。
【請求項１２】
請求項１〜１１のいずれか１項に記載のパンツ型吸収性物品であって、
前記吸収性本体は、排泄液を吸収する吸収体を有し、
前記第１胴回り部は、複数の弾性部材又は糸状弾性部材を有し、
前記上下方向において、前記吸収性本体の上端と、前記吸収体の上端との間の長さは、
前記上下方向において、前記伸縮性シートの下端と、最も上側に配置されている前記弾性部材又は前記糸状弾性部材との間の長さよりも長い、ことを特徴とするパンツ型吸収性物品。
【請求項１３】
請求項１〜１２のいずれか１項に記載のパンツ型吸収性物品であって、
前記第１胴回り部を構成する非伸縮性シートに前記伸縮性シートを固定する固定部を有し、
前記伸縮性シートは、前記上下方向の下端部において、前記固定部の下端を起点に上方向に折り返された折り返し部を有している、ことを特徴とするパンツ型吸収性物品。
【手続補正２】
【補正対象書類名】明細書
【補正対象項目名】０００８
【補正方法】変更
【補正の内容】
【０００８】
上記目的を達成するための主たる発明は、互いに交差する上下方向と左右方向と前後方向とを有し、吸収性本体と、前記左右方向に伸縮する伸縮性シート及び弾性部材と、非伸縮性シートとを備え、前記吸収性本体に接合された第１胴回り部と、を有するパンツ型吸収性物品であって、前記非伸縮性シートは、内層シート及び外層シートを備え、前記弾性部材は、前記前後方向において、前記内層シートと前記外層シートの間に配置され、前記伸縮性シートは、前記内層シートより肌側に配置され、前記上下方向において、前記伸縮性シートの下端は、前記吸収性本体の上端から上側に所定の距離だけ離れた位置にあり、前記上下方向において、前記伸縮性シートの下端と前記吸収性本体の上端との間の領域と、前記弾性部材が重複して配置されている、ことを特徴とするパンツ型吸収性物品である。
また、互いに交差する上下方向と左右方向と前後方向とを有し、吸収性本体と、内層シート、前記内層シートより非肌側に配置された外層シート、及び前記左右方向に伸縮する伸縮性シートを備え、前記吸収性本体に接合された第１胴回り部と、を有するパンツ型吸収性物品であって、前記吸収性本体は、排泄液を吸収する吸収体を有し、前記上下方向において、前記伸縮性シートの下端は、前記吸収性本体の上端から上側に所定の距離だけ離れた位置にあり、前記内層シート及び前記外層シートは、前記吸収性本体より非肌側に配置されており、前記外層シートの上方の端部は、下方向に折り返されて前記吸収性本体の前記上下方向の端部を肌側から覆っており、前記吸収性本体は、前記吸収体より非肌側に配置された液不透過性のバックシートを備え、前記第１胴回り部は、前記上下方向において前記吸収性本体と重複している領域の少なくとも一部に、前記左右方向に伸縮する糸状弾性部材を有し、前記糸状弾性部材より肌側に前記吸収体が配置されており、
前記糸状弾性部材は、前記内層シートと前記外層シートの間に配置されており、記伸縮性シートは、前記内層シートより肌側から積層されている、ことを特徴とするパンツ型吸収性物品である。
本発明の他の特徴については、本明細書及び添付図面の記載により明らかにする。